【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
被検眼を固視させるための光である固視光を発生させる固視光発生手段と、
往復駆動することによって前記固視光を前記被検眼の眼底上において走査させる走査手段と、
前記走査手段の前記往復駆動に基づく前記走査の走査位置を示す情報を検知する検知手段と、
前記走査位置を示す情報に基づいて、前記被検眼に照射される前記固視光を制御する固視光制御手段と
を有することを特徴とする眼科装置。
【請求項２】
前記検知手段は、前記走査位置を示す情報として、前記走査手段による前記走査位置の情報を検知することを特徴とする請求項１に記載の眼科装置。
【請求項３】
前記検知手段は、前記走査位置を示す情報として、前記走査手段の基準位置に対する角度の情報を検知することを特徴とする請求項１に記載の眼科装置。
【請求項４】
前記固視光制御手段は、前記固視光発生手段から発生させる前記固視光を制御することを特徴とする請求項１乃至３のいずれか１項に記載の眼科装置。
【請求項５】
前記検知手段は、前記走査手段の前記往復駆動における往路と復路の両方について前記走査位置を示す情報を検知することを特徴とする請求項１乃至４のいずれか１項に記載の眼科装置。
【請求項６】
前記検知手段は、前記走査手段によって走査された光が照射可能な位置に配置されている光検知センサを備えることを特徴とする請求項１乃至５のいずれか１項に記載の眼科装置。
【請求項７】
前記光検知センサは、前記走査手段が前記眼底を走査する走査範囲の外に配置されていることを特徴とする請求項６に記載の眼科装置。
【請求項８】
前記検知手段は、前記走査手段が前記眼底を走査する走査範囲の外に配置されたチャート状構造物と、前記チャート状構造物で反射した光を検知する光検知センサとを備えることを特徴とする請求項１乃至５のいずれか１項に記載の眼科装置。
【請求項９】
前記光検知センサは、前記固視光または観察光発生手段で発生させた観察光を検知することを特徴とする請求項６乃至８のいずれか１項に記載の眼科装置。
【請求項１０】
前記検知手段は、前記光検知センサと、前記走査手段の前記往復駆動に係る正弦波運動を推定する推定手段とを備え、前記推定された正弦波運動に基づいて前記走査位置を示す情報を検知することを特徴とする請求項６乃至９のいずれか１項に記載の眼科装置。
【請求項１１】
被検眼を固視させるための光である固視光を発生させる固視光発生手段と、
往復駆動することによって前記固視光を前記被検眼の眼底上において走査させる走査手段と、
前記走査手段の前記往復駆動に係る正弦波運動を推定し、前記推定された正弦波運動に基づいて前記走査の走査位置を示す情報を算出する推定手段と、
前記走査位置を示す情報に基づいて、前記被検眼に照射される前記固視光を制御する固視光制御手段と
を有することを特徴とする眼科装置。
【請求項１２】
前記走査手段によって走査された光が照射可能な位置に配置されている光検知センサを更に有し、
前記推定手段は、前記走査位置を示す情報と前記正弦波運動における時刻との関数を用いて、前記光検知センサで光を検知した時刻に基づいて、前記走査位置を示す情報を算出することを特徴とする請求項１０または１１に記載の眼科装置。
【請求項１３】
前記固視光制御手段は、前記走査位置を示す情報に基づいて、前記固視光の発光期間を制御することを特徴とする請求項１乃至１２のいずれか１項に記載の眼科装置。
【請求項１４】
前記固視光制御手段は、前記走査手段の走査速度が遅くなるほど前記発光期間を長くする制御を行うことを特徴とする請求項１３に記載の眼科装置。
【請求項１５】
観察光発生手段で発生させた観察光を前記走査手段を介して前記被検眼の前記眼底上に照射することで得られた戻り光に基づいて画像を取得する画像取得手段と、
前記走査位置を示す情報に基づいて、前記画像取得手段で前記画像を取得する画像取得タイミングを制御する画像取得タイミング制御手段と
を更に有し、
前記発光期間の始点タイミングは、前記画像取得タイミングに対してオフセット時間を考慮したタイミングであることを特徴とする請求項１３または１４に記載の眼科装置。
【請求項１６】
前記オフセット時間を考慮したタイミングは、前記画像取得手段による前記画像に関する遅延時間と前記固視光発生手段に関する遅延時間との差を考慮したタイミングであることを特徴とする請求項１５に記載の眼科装置。
【請求項１７】
前記固視光制御手段は、前記固視光に基づく固視標の位置とパターンとの設定に応じて、前記固視光の発光期間を制御することを特徴とする請求項１３乃至１６のいずれか１項に記載の眼科装置。
【請求項１８】
前記固視光制御手段は、前記走査位置を示す情報に基づいて、前記固視光の光量を制御することを特徴とする請求項１乃至１２のいずれか１項に記載の眼科装置。
【請求項１９】
前記固視光制御手段は、前記走査位置によらずに前記固視光の積算光量が等しくなるように制御することを特徴とする請求項１８に記載の眼科装置。
【請求項２０】
前記固視光制御手段は、前記走査手段の走査速度が遅くなるほど前記固視光のパルスにおけるハイのデューティー比を小さくする制御を行うことを特徴とする請求項１８または１９に記載の眼科装置。
【請求項２１】
前記走査手段は、共振スキャナであることを特徴とする請求項１乃至２０のいずれか１項に記載の眼科装置。
【請求項２２】
被検眼を固視させるための光である固視光を発生させる固視光発生手段と、往復駆動することによって前記固視光を前記被検眼の眼底上において走査させる走査手段とを備える眼科装置の制御方法であって、
前記走査手段の前記往復駆動に基づく前記走査の走査位置を示す情報を検知する検知ステップと、
前記走査位置を示す情報に基づいて、前記被検眼に照射される前記固視光を制御する固視光制御ステップと
を有することを特徴とする眼科装置の制御方法。
【請求項２３】
被検眼を固視させるための光である固視光を発生させる固視光発生手段と、往復駆動することによって前記固視光を前記被検眼の眼底上において走査させる走査手段とを備える眼科装置の制御方法であって、
前記走査手段の前記往復駆動に係る正弦波運動を推定し、前記推定された正弦波運動に基づいて前記走査の走査位置を示す情報を算出する推定ステップと、
前記走査位置を示す情報に基づいて、前記被検眼に照射される前記固視光を制御する固視光制御ステップと
を有することを特徴とする眼科装置の制御方法。
【請求項２４】
請求項２２または２３に記載の眼科装置の制御方法における各ステップをコンピュータに実行させるためのプログラム。
【手続補正２】
【補正対象書類名】明細書
【補正対象項目名】０００６
【補正方法】変更
【補正の内容】
【０００６】
本発明の眼科装置は、被検眼を固視させるための光である固視光を発生させる固視光発生手段と、往復駆動することによって前記固視光を前記被検眼の眼底上において走査させる走査手段と、前記走査手段の前記往復駆動に基づく前記走査の走査位置を示す情報を検知する検知手段と、前記走査位置を示す情報に基づいて、前記被検眼に照射される前記固視光を制御する固視光制御手段とを有する。
本発明の眼科装置における他の態様は、被検眼を固視させるための光である固視光を発生させる固視光発生手段と、往復駆動することによって前記固視光を前記被検眼の眼底上において走査させる走査手段と、前記走査手段の前記往復駆動に係る正弦波運動を推定し、前記推定された正弦波運動に基づいて前記走査の走査位置を示す情報を算出する推定手段と、前記走査位置を示す情報に基づいて、前記被検眼に照射される前記固視光を制御する固視光制御手段とを有する。
また、本発明は、上述した眼科装置の制御方法、及び、当該制御方法をコンピュータに実行させるためのプログラムを含む。